(57)【要約】      （修正有）【課題】デマンドレスポンス制御下で、設備機器の効果的な制御を可能にする制御装置を提供する。【解決手段】制御装置３０は、受付部３６ｄと、デマンドレスポンス部３６ｉと、消費電力変動部３６ａと、変動量推定部３６ｆと、調整制御実行部３６ｈとを備える。受付部は、消費電力に関するデマンドを受け付ける。デマンドレスポンス部は、デマンドレスポンス制御を実行する。デマンドレスポンス制御は、設備機器の総消費電力を調整する制御である。消費電力変動部は、非デマンドレスポンス制御を実行する。非デマンドレスポンス制御は、デマンドとは関係なく総消費電力を変動させる制御である。変動量推定部は、非デマンドレスポンス制御によって変動される消費電力を推定する。調整制御実行部は、調整制御を実行する。調整制御は、設備機器の消費電力を調整する制御である。推定変動量とは、変動量推定部によって推定された消費電力の変動量である。【選択図】図３
2015047006.tif 000002
【特許請求の範囲】
【請求項１】
エネルギー管理装置から送られた消費電力に関するデマンドを受け付ける受付部と、
前記受付部によって前記デマンドが受け付けられると、前記デマンドに応じて、物件に配置された複数の機器の総消費電力を調整する制御であるデマンドレスポンス制御を実行するデマンドレスポンス部と、
前記デマンドとは関係なく前記総消費電力を変動させる制御である非デマンドレスポンス制御を実行する消費電力変動部と、
前記デマンドレスポンス制御中に前記非デマンドレスポンス制御によって変動される消費電力を推定する変動量推定部と、
前記変動量推定部によって推定された消費電力の変動量である推定変動量に基づき、前記複数の設備機器のうちいずれかの設備機器の消費電力を調整する調整制御を実行する、調整制御実行部と、
を備える、
制御装置。
【請求項２】
前記複数の設備機器のそれぞれについての電力変動特性を記憶する記憶部
をさらに備え、
前記調整制御実行部は、前記電力変動特性に基づいて、前記複数の設備機器のうちいずれかの設備機器に対する調整制御を実行する、
請求項１に記載の制御装置。
【請求項３】
前記調整制御実行部は、前記複数の設備機器のうちいくつかの設備機器に対して、時間差で前記調整制御を実行する、
請求項１または２に記載の制御装置。
【請求項４】
前記非デマンドレスポンス制御は、前記設備機器が配置されている空間における人物の在／不在または日射量に基づく省エネ制御、スケジュール制御、および手動制御の少なくとも一つを含む、
請求項１から３のいずれかに記載の制御装置。
【発明の詳細な説明】
【技術分野】
【０００１】
本発明は、制御装置に関する。
【背景技術】
【０００２】
従来より、特許文献１（特開２０１２−３８２９５号公報）に示すように、電力会社から送られたデマンドに応じて物件に配置された設備機器を制御するデマンドレスポンス制御が行われてきた。電力会社から送られるデマンドには、目標消費電力と、目標消費電力を維持する期間（所定の期間）とに関する条件が含まれる。物件では、デマンドを受けると、当該デマンドに応じて、設備機器のデマンドレスポンス制御を開始する。また、所定の期間中、デマンドレスポンス制御を実行して設備機器の消費電力を目標消費電力で維持した場合には、物件は、電力会社から所定のインセンティブが得られることとなる。
【発明の概要】
【発明が解決しようとする課題】
【０００３】
ところで、一般的に、設備機器は、物件における環境を快適にするために使用される。また、設備機器は、省エネを考慮して使用される。すなわち、設備機器は、デマンドとは関係なく、ユーザが所望する条件や省エネを考慮した条件で制御することもできる。デマンドレスポンス制御中に、デマンドとは関係ない制御を行うと、デマンドで規定される目標消費電力を実現できない場合がある。それにより、所定のインセンティブが得られず、結果的に、設備機器の効果的な制御を実現することが困難となる。
【０００４】
そこで、本発明の課題は、デマンドレスポンス制御下で、設備機器の効果的な制御を可能にする制御装置を提供することにある。
【課題を解決するための手段】
【０００５】
本発明の第１の観点に係る制御装置は、受付部と、デマンドレスポンス部と、消費電力変動部と、変動量推定部と、調整制御実行部とを備える。受付部は、エネルギー管理装置から送られた消費電力に関するデマンドを受け付ける。デマンドレスポンス部は、受付部によってデマンドが受け付けられると、デマンドに応じて、デマンドレスポンス制御を実行する。デマンドレスポンス制御は、物件に配置された複数の設備機器の総消費電力を調整する制御である。消費電力変動部は、非デマンドレスポンス制御を実行する。非デマンドレスポンス制御は、デマンドとは関係なく総消費電力を変動させる制御である。変動量推定部は、デマンドレスポンス制御中に非デマンドレスポンス制御によって変動される消費電力を推定する。調整制御実行部は、調整制御を実行する。調整制御は、推定変動量に基づき、複数の設備機器のうちいずれかの設備機器の消費電力を調整する制御である。また、推定変動量とは、変動量推定部によって推定された消費電力の変動量である。
【０００６】
この制御装置では、デマンドレスポンス制御の実行中の非デマンドレスポンス制御によって変動される消費電力が推定される。また、推定された変動消費電力（推定変動量）に基づいて、複数の設備機器のうちいずれかの設備機器の消費電力が調整される。これにより、デマンドレスポンス制御下においても、設備機器の効果的な制御が可能になる。
【０００７】
本発明の第２の観点に係る制御装置は、第１の観点に係る制御装置において、記憶部をさらに備える。記憶部は、複数の設備機器のそれぞれについての電力変動特性を記憶する。調整制御実行部は、電力変動特性に基づいて、複数の設備機器のうちいずれかの設備機器に対する調整制御を実行する。
【０００８】
この制御装置では、複数の設備機器のそれぞれについての電力変動特性が記憶される。調整制御実行部は、電力変動特性に基づいて、複数の設備機器のうちいずれかの設備機器に対する調整制御を実行する。これにより、デマンドレスポンス制御中の消費電力の変動に対して好適に対応することができる。
【０００９】
本発明の第３の観点に係る制御装置は、第１または第２の観点に係る制御装置において、調整制御実行部は、複数の設備機器のうちいくつかの設備機器に対して、時間差で調整制御を実行する。
【００１０】
この制御装置では、調整制御を実行する際に、複数の設備機器のうちいくつかの設備機器に対して、時間差で駆動されるような調整制御を実行する。これにより、非デマンドレスポンス制御によって徐々に変動する消費電力に合わせて、他の設備機器の消費電力を適宜調整することができる。
【００１１】
本発明の第４の観点に係る制御装置は、第１から第３の観点のいずれかに係る制御装置において、非デマンドレスポンス制御は、設備機器が配置されている空間における人物の在／不在または日射量に基づく省エネ制御、スケジュール制御、および手動制御の少なくとも一つを含む。
【００１２】
この制御装置では、非デマンドレスポンス制御として、省エネ制御、スケジュール制御、および手動制御の少なくとも一つが実行される。これにより、空間の状況に適した設備機器の制御を行うことができる。
【発明の効果】
【００１３】
本発明の第１観点に係る制御装置では、デマンドレスポンス制御下で、設備機器を効果的に制御することができる。
【００１４】
本発明の第２観点に係る制御装置では、デマンドレスポンス制御中の消費電力の変動に対して好適に対応することができる。
【００１５】
本発明の第３観点に係る制御装置では、非デマンドレスポンス制御によって徐々に変動する消費電力に合わせて、他の設備機器の消費電力を適宜調整することができる。
【００１６】
本発明の第４観点に係る制御装置では、空間の状況に適した設備機器の制御を行うことができる。
【図面の簡単な説明】
【００１７】
【図１】本発明の実施形態に係るシステム全体の概略構成図である。
【図２】本発明の実施形態に係る管理装置の概略構成図である。
【図３】本発明の実施形態に係る制御装置の概略構成図である。
【図４】電力変動特性として記憶されている情報の例を示す図である。
【図５】本発明の実施形態に係る制御装置の処理の流れを示す図である。
【図６】本発明の実施形態に係る制御装置の処理の流れを示す図である。
【図７】調整制御を行わなかった場合の消費電力の変化を示す図である。
【図８】本発明の実施形態に係る制御装置の処理を説明するための図である。
【図９】本発明の実施形態に係る制御装置の処理を説明するための図である。
【図１０】本発明の実施形態に係る制御装置の処理を説明するための図である。
【発明を実施するための形態】
【００１８】
以下、図１から図１０を用いて、本実施形態に係るエネルギー管理システム１００について説明する。
【００１９】
（１）エネルギー管理システムの全体構成
図１に、本実施形態に係るエネルギー管理システム１００を示す。エネルギー管理システム１００は、物件２の消費電力を電力会社１が管理するシステムである。
【００２０】
エネルギー管理システム１００では、電力会社１から複数の物件２，２に対して電力を供給する。物件２は、複数の設備機器４０〜６０が設置される建物である。例えば、物件２は、オフィスビル、テナントビル、工場、および一般家庭等である。図１では、電力会社１が電力を供給する物件２として、２つの物件Ａ，Ｂを示すが、物件の数は２つに限定されるものではない。すなわち、物件の数は、１つであってもよいし、３つ以上であってもよい。
【００２１】
電力会社１は、エネルギー管理装置１０を有する。各物件２は、制御装置３０と、複数の設備機器４０〜６０と、電源６と、電力メーター７とを有する。また、各物件２は、設備機器４０〜６０が設置された空間に、図示しない人検知センサを有する。電源６は、設備機器４０〜６０に電力を供給する。電力メーター７は、電源６から設備機器４０〜６０に供給される電力量を計測する。各物件２において、制御装置３０と、設備機器４０〜６０とは、専用の制御線８０ｂを介して接続されている。設備機器４０〜６０は、空調機４０、照明５０、および換気扇６０を含む。空調機４０は、マルチ式であっても、ペア式であってもよい。本実施形態では、説明を簡単にするため、物件Ａ，Ｂのそれぞれに、空調機４０、照明５０、および換気扇６０をそれぞれ一つずつ示しているが、各物件Ａ，Ｂに設置される設備機器４０〜６０は、これらに限定されるものではない。また、物件Ａに設置される設備機器の種類や数は、物件Ｂに設置される設備機器の種類や数と、異なるものであってもよい。
【００２２】
電力会社１に配置されたエネルギー管理装置１０と、各物件２に配置された制御装置３０とは、インターネット８０ａを介して接続されている。エネルギー管理装置１０は、電力会社１が、各物件２で消費される電力量を管理するための装置である。また、制御装置３０は、各物件２に設置された設備機器４０〜６０の制御を行うための装置である。
【００２３】
電力会社１は、各物件２との間で、デマンドレスポンス制御に関する契約を結ぶ。デマンドレスポンス制御とは、電力会社１（エネルギー管理装置１０）から送られるデマンドに従って、各物件２（制御装置３０）が設備機器４０〜６０の制御を行うことをいう。デマンドには、例えば、デマンドレスポンス制御を実行する時間帯（調整時間帯）および消費電力に関する条件が含まれる。具体的に、デマンドでは、所定の時間帯（例えば、午前１１時から１時間）における消費電力の目標値（目標消費電力）ｋｗ／ｈが規定される。
【００２４】
デマンドレスポンス制御に関する契約（デマンドレスポンス契約）では、各物件２においてデマンドに従った電力（電力量）が消費されることにより、電力会社１から各物件２に対して所定のインセンティブ（例えば、料金もしくは割引）が支払われることになっている。すなわち、各物件２は、デマンドに規定された調整時間帯に、目標消費電力と一致する電力を継続して消費した場合には、所定のインセンティブが得られる。
【００２５】
一方、デマンドレスポンス契約では、各物件２において、デマンドに従った電力が消費されなかった場合には、物件２に対して、例えば、追加料金や違約金の支払いなどの所定のペナルティが科される。すなわち、各物件２は、調整時間帯に、目標消費電力と一致する電力量を継続して消費していない場合には、ペナルティが科される。
【００２６】
言い換えると、各物件２は、デマンドレスポンス契約を遵守すると、電力会社１からの所定のインセンティブが得られ、デマンドレスポンス契約を遵守しないと、所定のペナルティが科される。
【００２７】
以下、エネルギー管理システム１００に含まれる、エネルギー管理装置１０および制御装置３０について説明する。
【００２８】
（２）エネルギー管理装置の構成
図２に、エネルギー管理装置１０の概略構成図を示す。エネルギー管理装置１０は、上述したように、電力会社１において、各物件２で消費される電力量を管理するための装置である。エネルギー管理装置１０は、通信部１１、表示部１２、入力部１３、記憶部１４、および制御部１５を備える。
【００２９】
（２−１）通信部
通信部１１は、エネルギー管理装置１０をインターネット８０ａに接続可能にするネットワークインターフェースである。
【００３０】
（２−２）表示部
表示部１２は、主として、ディスプレイから構成されている。
【００３１】
（２−３）入力部
入力部１３は、主として、操作ボタン、キーボード、およびマウス等から構成されている。
【００３２】
（２−４）記憶部
記憶部１４は、主として、ハードディスクから構成されている。記憶部１４には、各物件２（制御装置３０）に送信されたデマンドが、物件２毎に記憶されている。また、記憶部１４には、各物件２で消費される電力量の管理に必要な各種プログラムが記憶されている。
【００３３】
（２−５）制御部
制御部１５は、主として、ＣＰＵ、ＲＯＭおよびＲＡＭから構成されている。制御部１５は、上述の記憶部１４に記憶されているプログラムを読み出して実行することにより、各物件２で消費される電力量の管理を行う。
【００３４】
（３）制御装置の構成
図３に、制御装置３０の概略構成図を示す。制御装置３０は、上述したように、各物件２に設置された設備機器４０〜６０の制御を行うための装置である。制御装置３０は、通信部３１、時間管理部３２、入力部３３、出力部３４、記憶部３５、および制御部３６を備える。
【００３５】
（３−１）通信部
通信部３１は、制御装置３０をインターネット８０ａに接続可能にするネットワークインターフェースである。通信部３１により、インターネット８０ａを介して、制御装置３０とエネルギー管理装置１０との間で双方向通信が行われる。また、通信部３１は、制御装置３０を専用の制御線８０ｂに接続可能にするインターフェースでもある。
【００３６】
（３−２）時間管理部
時間管理部３２は、電力会社１に配置されたエネルギー管理装置１０と略同期する時計を含む。時間管理部３２は、制御装置３０が実行する各種制御の時間管理を行う。
【００３７】
（３−３）入力部
入力部３３は、主として、操作ボタンおよび後述するディスプレイを覆うタッチパネルから構成されている。入力部３３には、設備機器４０〜６０の発停信号、設定の変更、運転モードの変更など、設備機器４０〜６０に対するユーザからの各種指令が入力される。
【００３８】
（３−４）出力部
出力部３４は、主として、ディスプレイから構成されている。出力部３４には、設備機器４０〜６０の運転状況を示す画面が表示される。ここで、運転状況とは、例えば、設備機器４０〜６０のＯＮ／ＯＦＦ状態、運転モード（冷房モード／暖房モード）、吸込み温度、設定温度、照度、換気量、駆動時間、および駆動時の運転能力（％）などが含まれる。
【００３９】
また、出力部３４は、現在の消費電力およびデマンドの内容もディスプレイに出力する。現在の消費電力には、各設備機器４０〜６０の消費電力と、全設備機器４０〜６０の消費電力の合計である総消費電力とが含まれる。さらに、出力部３４は、記憶部３５に記憶されている各種情報および制御部３６によって実行された各種プログラムの結果等もディスプレイに出力する。
【００４０】
（３―５）記憶部
記憶部３５は、主として、ハードディスクから構成されている。記憶部３５には、後述する制御部３６が読み出して実行可能なプログラムが記憶されている。また、記憶部３５には、エリア情報記憶領域３５ａ、運転状況記憶領域３５ｂ、デマンド記憶領域３５ｃ、基本情報記憶領域３５ｄ、変動量記憶領域３５ｅ、および調整制御記憶領域３５ｆが含まれる。
【００４１】
（３―５−１）エリア情報記憶領域
エリア情報記憶領域３５ａは、物件２内の各空間の情報（エリア情報）を記憶する。エリア情報には、人の在／不在情報が含まれる。すなわち、エリア情報記憶領域３５ａには、人検知センサによる検知結果が記憶される。エリア情報は、後述するエリア情報取得部３６ｃによって取得される。エリア情報記憶領域３５ａでは、物件２内の各空間に配置された人検知センサと、人検知センサによって得られた情報（在／不在）とが関連付けて記憶されている。
【００４２】
（３―５−２）運転状況記憶領域
運転状況記憶領域３５ｂは、後述する運転状況監視部３６ｂによって監視された運転状況に関する情報が記憶されている。運転状況に関する情報には、上述したように、設備機器４０〜６０のＯＮ／ＯＦＦ状態、運転モード（冷房モード／暖房モード）、吸込み温度、設定温度、照度、換気量、稼働時間、稼働率、および稼動時の運転能力（％）などに関する情報が含まれる。
【００４３】
また、運転状況に関する情報には、電力メーター７によって計測された消費電力に関する情報が含まれる。
【００４４】
（３―５−３）デマンド記憶領域
デマンド記憶領域３５ｃには、エネルギー管理装置１０から送られたデマンドが記憶されている。すなわち、デマンド記憶領域３５ｃには、消費電力を調整する時間帯（調整時間帯）と、目標消費電力ｔｗとが記憶される。
【００４５】
調整時間帯として、具体的には、調整時間帯の開始時刻および終了時刻に関する情報が記憶されている。目標消費電力ｔｗとは、単位時間当たりに消費可能な電力（量）、あるいは、単位時間当たりで消費すべき電力（量）である。目標消費電力ｔｗは、特定の一の値を基準に幅を持たせた値である。言い換えると、デマンドでは、目標消費電力ｔｗとして、消費可能な、または消費すべき電力（量）の範囲が規定されている。すなわち、デマンドレスポンス制御では、デマンドで規定された時間帯において、消費する電力が、当該目標消費電力ｔｗとして規定される範囲内の値となるように、設備機器４０〜６０が制御される。
【００４６】
（３―５−４）基本情報記憶領域
基本情報記憶領域３５ｄには、物件２に設置されている設備機器４０〜６０についての基本情報が記憶されている。ここで、基本情報には、物件２に設置されている設備機器４０〜６０の種類・数、各設備機器４０〜６０について運転能力に応じた単位時間当たりの消費電力、および、各設備機器４０〜６０の電力変動特性等が含まれる。
【００４７】
電力変動特性とは、駆動/停止に必要な時間（発停のタイミング）である。言い換えると、電力変動特性とは、設備機器４０〜６０の設定が変更された場合の応答速度（ｋｗｈ／ｓｅｃ）である。例えば、基本情報記憶領域３５ｄには、各設備機器４０〜６０の応答速度として、図４に示すように、単位時間当たりの消費電力の変化量が記憶されている。
【００４８】
また、基本情報には、物件２内の空間と、空間に配置された人検知センサおよび設備機器４０〜６０とを関連付けた関連付け情報が含まれる。
【００４９】
さらに、基本情報には、設備機器４０〜６０に関する優先順位が含まれていてもよい。ここで、優先順位とは、デマンドレスポンス制御が実行される場合に、デマンドレスポンス制御開始前の運転状態を維持すべき設備機器４０〜６０の順位である。
【００５０】
（３―５−５）変動量記憶領域
変動量記憶領域３５ｅは、後述する変動量推定部３６ｆによって推定された消費電力の変動量を記憶する。変動量には、非デマンドレスポンス制御をした場合に変動する消費電力の推移と、非デマンドレスポンス制御を実行する前の消費電力と非デマンドレスポンス制御を実行した後の消費電力との差（消費電力差）とが含まれる。
【００５１】
（３―５−６）調整制御記憶領域
調整制御記憶領域３５ｆは、後述する調整制御決定部３６ｇによって決定された調整制御に関する情報が記憶されている。調整制御に関する情報は、調整時間帯の非デマンドレスポンス制御によって生じる消費電力の変動を埋め合わせるための制御に関する情報である。調整制御に関する情報として、調整時間帯に実行される非デマンドレスポンス制御に伴って、駆動させる設備機器４０〜６０の種類、設備機器４０〜６０を駆動させるタイミング、駆動時間、および駆動時の運転能力（％）などに関する情報が記憶されている。
【００５２】
（３―６）制御部
制御部３６は、主としてＣＰＵ、ＲＯＭおよびＲＡＭから構成されている。制御部３６は、上述の記憶部３５に記憶されているプログラムを読み出して実行することにより、図３に示すように、主として、消費電力変動部３６ａ、運転状況監視部３６ｂ、エリア情報取得部３６ｃ、受付部３６ｄ、フラグ切替部３６ｅ、変動量推定部３６ｆ、調整制御決定部３６ｇ、調整制御実行部３６ｈ、およびデマンドレスポンス部３６ｉとして機能する。
【００５３】
（３―６−１）消費電力変動部
消費電力変動部３６ａは、デマンドとは関係なく、設備機器４０〜６０の消費電力を増減させる制御（非デマンドレスポンス制御）を実行する。非デマンドレスポンス制御には、省エネ制御、スケジュール制御、および手動制御等が含まれる。
【００５４】
省エネ制御とは、上述のエリア情報記憶領域３５ａに記憶された情報に基づいた制御である。具体的に、省エネ制御とは、物件２内の各空間における人の在／不在に基づく制御である。省エネ制御では、例えば、人検知センサが不在を検知した空間に配置された設備機器４０〜６０をＯＦＦに設定する。ここで、調整時間帯以外で省エネ制御を実施する場合、設備機器４０〜６０をＯＦＦに設定するタイミングは、任意で設定可能である。
【００５５】
また、スケジュール制御とは、スケジュールに従った設備機器４０〜６０の制御である。スケジュールとは、設備機器４０〜６０のＯＮ／ＯＦＦ設定のタイミングや、設備機器４０〜６０をＯＮに設定する際の運転内容（設定温度、風量、照度等）に関する予定である。スケジュールでは、２４時間をいくつかの時間帯に分け、各時間帯における制御内容を予め決めておいたスケジュールに基づいて、設備機器４０〜６０を制御する。スケジュールは、記憶部３５に記憶されている。
【００５６】
さらに、手動制御とは、ユーザが所望により設備機器４０〜６０を制御することを意味する。
【００５７】
消費電力変動部３６ａは、入力部１３３に入力された指令、運転状況監視部３６ｂにより生成された指令、およびスケジュールに基づく指令に基づいて、設備機器４０〜６０の消費電力を増減させる。
【００５８】
なお、消費電力変動部３６ａは、後述するフラグ切替部３６ｅによってフラグが立てられている場合、所定の場合に限り、各種指令に基づいて、設備機器４０〜６０を制御する。ここで、所定の場合とは、後述する変動量推定部３６ｆによる推定結果が出され、かつ、後述する調整制御決定部３６ｇによって調整制御が決定された後である。すなわち、フラグ切替部３６ｅによってフラグが立てられている場合には、変動量の推定結果が出され、さらに、調整制御の内容が決定されない限り、非デマンドレスポンス制御は実行されない。
【００５９】
（３―６−２）運転状況監視部
運転状況監視部３６ｂは、設備機器４０〜６０の運転状況を監視する。設備機器４０〜６０の運転状況には、上述したように、設備機器４０〜６０のＯＮ／ＯＦＦ状態、運転モード（冷房モード／暖房モード）、吸込み温度、設定温度、照度、換気量、駆動時間、駆動率、および駆動時の運転能力（％）などに関する情報が含まれる。また、運転状況に関する情報には、電力メーター７によって計測された消費電力に関する情報が含まれる。ここで運転能力（％）とは、空調機４０の定格能力に対して、空調機４０がどの程度の能力で動作しているかを意味する。
【００６０】
運転状況監視部３６ｂは、時間管理部１３２から時刻の提示を受けて、所定時間間隔で設備機器４０〜６０および電力メーター７と通信して運転状況を監視し、各種情報を取得する。運転状況監視部３６ｂは、デマンドレスポンス制御開始後も、所定の時間間隔で、設備機器４０〜６０の運転状況を監視する。運転状況監視部３６ｂによって取得された各種情報は、情報の取得日時とともに、上述の運転状況記憶領域３５ｂに記憶される。
【００６１】
なお、運転状況監視部３６ｂは、後述する受付部３６ｄによってデマンドが受け付けられると、所定の時間間隔に関わらず、設備機器４０〜６０の運転状況を監視し、得られた情報を運転状況記憶領域３５ｂに記憶する。すなわち、運転状況監視部３６ｂは、デマンドが受け付けられたタイミングで、デマンドレスポンス制御開始直前の設備機器４０〜６０の運転状況を監視し、設備機器４０〜６０の情報を取得する。
【００６２】
また、運転状況監視部３６ｂは、省エネ制御を実行する必要があるか否かを確認する。具体的に、運転状況監視部３６ｂは、エリア情報記憶領域３５ａに記憶されている情報と運転状況記憶領域３５ｂに記憶されている情報とに基づいて、省エネ制御を実行する必要があるか否かを確認する。詳細には、運転状況監視部３６ｂは、人検知センサによって不在が検知された空間の設備機器４０〜６０であって、駆動されている設備機器４０〜６０の有無を確認する。運転状況監視部３６ｂは、人が不在の空間で駆動されている設備機器４０〜６０を確認した場合には、当該設備機器４０〜６０を停止させる旨の指令を生成し、当該指令を消費電力変動部３６ａに受け渡す。
【００６３】
（３―６−３）エリア情報取得部
エリア情報取得部３６ｃは、人検知センサによって検知された情報を、所定のタイミングで取得する。具体的に、エリア情報取得部３６ｃは、人検知センサによって新たな状態が検知されると、その旨の情報を人検知センサから取得する。エリア情報取得部３６ｃは、取得した情報を、上述したエリア情報記憶領域３５ａに記憶する。なお、エリア情報取得部３６ｃは、デマンドレスポンス制御中にも、継続して、所定のタイミングで情報を取得する。
【００６４】
（３―６−４）受付部
受付部３６ｄは、エネルギー管理装置１０から送られたデマンドを受け付ける。受付部３６ｄによって受け付けられたデマンドは、上述したデマンド記憶領域３５ｃに記憶される。
【００６５】
（３―６−５）フラグ切替部
フラグ切替部３６ｅは、調整時間帯か否かに基づいてフラグのＯＮ／ＯＦＦ状態を切り替える。具体的に、フラグ切替部３６ｅは、受付部３６ｄによってデマンドが受け付けられると、フラグの状態をＯＮに切り替える。さらに、フラグ切替部３６ｅは、調整時間帯が終了すると、フラグの状態をＯＦＦに切り替える。フラグの状態は、上述の記憶部３５に記憶されている。
【００６６】
（３―６−６）変動量推定部
変動量推定部３６ｆは、調整時間帯の開始時刻以降に非デマンドレスポンス制御に係る指令が受け付けられた場合に、消費電力の変動量を推定する。変動量には、非デマンドレスポンス制御をした場合に変動する消費電力の推移と、消費電力差とが含まれる。
【００６７】
ここで、消費電力の推移とは、当該非デマンドレスポンス制御に係る指令の実行により変動する消費電力の推移であって、非デマンドレスポンス制御が実行された場合に、時間の経過と共に変化する物件２内の消費電力の合計値である（図７の点Ｐ１１ｂから先に延びる線参照）。言い換えると、消費電力の推移として、非デマンドレスポンス制御実行後の複数時刻における消費電力が推定される。消費電力の推移は、各設備機器４０〜６０の応答速度（ｋｗｈ／ｓｅｃ）を考慮して推定される。
【００６８】
また、消費電力差とは、非デマンドレスポンス制御をした場合に、非デマンドレスポンス制御を実行する前の消費電力に対して変動した消費電力の推定値である（図７の領域Ｒ０参照）。具体的に、消費電力差とは、上述したように、非デマンドレスポンス制御を実行する前の単位時間当たりの消費電力と、非デマンドレスポンス制御を実行した後の単位時間当たりの消費電力との差である。
【００６９】
より具体的に、変動量推定部３６ｆは、非デマンドレスポンス制御が開始される時刻から調整時間帯の終了時刻までの時間長さと、基本情報記憶領域３５ｄに記憶されている基本情報とに基づき、変動量を算出する。言い換えると、変動量推定部３６ｆは、非デマンドレスポンス制御の対象となっている設備機器４０〜６０の基本情報を参照し、非デマンドレスポンス制御が開始される時刻から調整時間帯の終了時刻までに変動する消費電力を推定する。変動量推定部３６ｆによって得られた消費電力の推移と消費電力差とは、上述した変動量記憶領域３５ｅに記憶される。
【００７０】
（３―６−７）調整制御決定部
調整制御決定部３６ｇは、調整時間帯の消費電力を目標消費電力ｔｗに一致させるように調整するための制御（調整制御）を決定する。具体的に、調整制御決定部３６ｇは、調整時間帯に非デマンドレスポンス制御が実行された場合であっても物件２内の総消費電力が目標消費電力に一致するように、非デマンドレスポンス制御に係る設備機器以外の設備機器を駆動させて総消費電力を調整するための制御を決定する。
【００７１】
調整制御決定部３６ｇは、調整時間帯に非デマンドレスポンス制御に係る指令が受け付けられると、当該非デマンドレスポンス制御を実行した場合に生じる消費電力の変動を埋め合わせるための制御を決定する。すなわち、調整制御決定部３６ｇは、非デマンドレスポンス制御によって総消費電力が減少される場合には、調整制御によって総消費電力を増加させる。一方、調整制御決定部３６ｇは、非デマンドレスポンス制御によって総消費電力が増加される場合には、調整制御によって総消費電力を減少させる。また、調整制御決定部３６ｇは、非デマンドレスポンス制御によって総消費電力が増減する速度に合わせて、調整制御に係る消費電力が増減するように、非デマンドレスポンス制御で駆動対象となっていない設備機器４０〜６０の中から駆動させる設備機器４０〜６０を決定する。
【００７２】
調整制御決定部３６ｇは、変動量記憶領域３５ｅに記憶された消費電力の推移および消費電力差と、基本情報記憶領域３５ｄに記憶された基本情報とに基づいて、調整制御を実行する。詳細に、調整制御決定部３６ｇは、非デマンドレスポンス制御によって駆動される設備機器の電力変動特性および単位時間当たりの消費電力に基づいて、非デマンドレスポンス制御で駆動させる設備機器以外の設備機器の中から駆動させる設備機器を決定する。すなわち、調整制御決定部３６ｇは、調整時間帯に実行される非デマンドレスポンス制御の内容に基づいて、調整制御として駆動させる設備機器４０〜６０の種類、設備機器４０〜６０を駆動させるタイミング、設備機器４０〜６０の駆動時間、および駆動時の運転能力（％）などを決定する。調整制御決定部３６ｇは、調整制御を決定すると、調整制御に関する情報を、上述した調整制御記憶領域３５ｆに記憶する。
【００７３】
（３―６−８）調整制御実行部
調整制御実行部３６ｈは、調整制御記憶領域３５ｆに記憶された情報に基づき、調整制御を実行する。調整制御とは、上述したように、調整時間帯に非デマンドレスポンス制御が実行された場合であっても、物件２内の総消費電力が目標消費電力ｔｗに一致するように、非デマンドレスポンス制御に係る設備機器以外の設備機器を駆動させ、消費電力を調整する制御である。調整制御実行部３６ｈは、調整時間帯に非デマンドレスポンス制御が実行されるタイミングに合わせて、調整制御を実行する。
【００７４】
（３―６−９）デマンドレスポンス部
デマンドレスポンス部３６ｉは、デマンドレスポンス制御を実行する。デマンドレスポンス制御とは、デマンドに基づいて、設備機器４０〜６０の消費電力を調整する制御である。言い換えると、デマンドレスポンス部３６ｉは、デマンドで規定された条件を満たすように、設備機器４０〜６０を制御する。
【００７５】
具体的に、デマンドレスポンス部３６ｉは、デマンドで規定された時刻（調整時間帯の開始時刻）になると、デマンドレスポンス制御を開始する。デマンドレスポンス制御では、物件２に設置された設備機器４０〜６０の単位時間当たりの消費電力の総量が、デマンドで規定された目標消費電力ｔｗと一致するように、設備機器４０〜６０が制御される。
【００７６】
なお、デマンドレスポンス制御において、いずれの設備機器４０〜６０を動作させるか、あるいは、各設備機器４０〜６０をどの程度の運転能力で動作させるかは、どのように決めてもよい。例えば、駆動中の空調機４０の運転能力を一律で下げたり、予め設備機器４０〜６０に対して決めておいた優先順位に基づいて優先順位の低い設備機器を停止させたりしてもよい。
【００７７】
（４）制御装置における処理の流れ
次に、図５および図６を用いて、制御装置３０におけるデマンドに係る処理の流れについて説明する。なお、制御装置３０は、デマンドを受け付けるまでは、非デマンドレスポンス制御を適宜実行している。すなわち、制御装置３０は、デマンドレスポンス制御を開始するまでは、省エネ制御、スケジュール制御、および手動制御を、指令が生成されるとすぐに実施しているものとする。
【００７８】
まず、ステップＳ１１において、受付部３６ｄによってデマンドが受け付けられたか否かが判断される。ステップＳ１１では、デマンドが受け付けられるまで待機し、デマンドが受け付けられたら、当該デマンドをデマンド記憶領域３５ｃに記憶して、ステップＳ１２に進む。
【００７９】
ステップＳ１２では、フラグ切替部３６ｅによって、フラグがＯＦＦからＯＮに切り替えられる。すなわち、ステップＳ１２において、フラグ切替部３６ｅは、フラグを立てる。なお、フラグ切替部３６ｅによるフラグの切替は、調整時間帯の開始時刻に行われるものとする。その後、ステップＳ１３に進む。
【００８０】
ステップＳ１３では、デマンドレスポンス部３６ｉによってデマンドレスポンス制御が実行される。デマンドレスポンス部３６ｉは、デマンド記憶領域３５ｃに記憶されたデマンドに基づいて、設備機器４０〜６０を制御する。具体的に、デマンドレスポンス部３６ｉは、デマンドで規定された時間帯において、物件２内の設備機器４０〜６０の消費電力の総量（総消費電力）が、デマンドで規定された目標消費電力ｔｗと一致するように、設備機器４０〜６０を制御する。その後、ステップＳ１４に進む。
【００８１】
ステップＳ１４では、非デマンドレスポンス制御の指令が受け付けられたか否かが判定される。ステップＳ１４において、非デマンドレスポンス制御の指令が受け付けられなかった場合には、ステップＳ２０に進み、ステップＳ１４において、非デマンドレスポンス制御の指令が受け付けられた場合には、ステップＳ１５に進む。
【００８２】
ステップＳ１５では、変動量推定部３６ｆによって変動量が推定される。変動量とは、上述したように、非デマンドレスポンス制御によって変動する消費電力の推移と、消費電力差とが含まれる。推定された変動量は、変動量記憶領域３５ｅに記憶される。その後、ステップＳ１６に進む。
【００８３】
ステップＳ１６では、調整制御決定部３６ｇによって調整制御の内容が決定される。具体的に、調整制御決定部３６ｇは、調整時間帯に非デマンドレスポンス制御が実行された場合であっても総消費電力が目標消費電力ｔｗに一致するように、非デマンドレスポンス制御に係る設備機器以外の設備機器を駆動させて総消費電力を調整するための制御の内容を決定する。調整制御の内容が決定されると、当該調整制御の内容は、調整制御記憶領域３５ｆに記憶される。その後、ステップＳ１７に進む。
【００８４】
ステップＳ１７では、フラグ切替部３６ｅによって、フラグがＯＮからＯＦＦに一時的に切り替えられる。すなわち、ステップＳ１７では、フラグが下ろされる。その後、ステップＳ１８に進む。
【００８５】
ステップＳ１８では、消費電力変動部３６ａによって非デマンドレスポンス制御が実行されると共に、調整制御実行部３６ｈによって調整制御が実行される。その後、ステップＳ１９に進む。
【００８６】
ステップＳ１９では、フラグ切替部３６ｅによって、フラグがＯＦＦからＯＮに切り替えられる。すなわち、ステップＳ１９では、フラグが立てられる。その後、ステップＳ２０に進む。
【００８７】
ステップＳ２０では、時間管理部３２から得られる情報に基づいて、所定の時間が経過したかどうかが判定される。言い換えると、ステップＳ２０では、調整期間の終了時刻に到達したかどうかが判定される。ステップＳ２０において、所定の時間が経過していない場合にはステップＳ１４に戻り、所定の時間が経過した場合には、ステップＳ２１に進む。
【００８８】
ステップＳ２１では、フラグ切替部３６ｅによって、フラグがＯＮからＯＦＦに切り替えられる。すなわち、ステップＳ２１において、フラグ切替部３６ｅは、フラグを下ろす。その後、ステップＳ２２に進む。
【００８９】
ステップＳ２２では、デマンドレスポンス制御を終了し、運転状況記憶領域３５ｂに記憶されている情報に基づいて、設備機器４０〜６０に対してデマンドレスポンス制御開始前の制御を回復させる。その後、ステップＳ１１に戻る。
【００９０】
（５）特徴
（５−１）
上記実施形態に係る制御装置３０は、受付部３６ｄと、デマンドレスポンス部３６ｉと、消費電力変動部３６ａと、変動量推定部３６ｆと、調整制御実行部３６ｈとを備える。受付部３６ｄは、エネルギー管理装置１０から送られた消費電力に関するデマンドを受け付ける。デマンドレスポンス部３６ｉは、受付部３６ｄによってデマンドが受け付けられると、デマンドに応じて、デマンドレスポンス制御を実行する。デマンドレスポンス制御は、物件２に配置された複数の設備機器４０〜６０の総消費電力を調整する制御である。消費電力変動部３６ａは、非デマンドレスポンス制御を実行する。非デマンドレスポンス制御は、デマンドとは関係なく総消費電力を変動させる制御である。変動量推定部３６ｆは、デマンドレスポンス制御実行中に非デマンドレスポンス制御によって変動される消費電力を推定する。調整制御実行部３６ｈは、調整制御を実行する。調整制御は、推定変動量に基づき、複数の設備機器４０〜６０のうちいずれかの設備機器４０〜６０の消費電力を調整する制御である。また、推定変動量とは、変動量推定部３６ｆによって推定された消費電力の変動量である。
【００９１】
上記実施形態に係るエネルギー管理システム１００は、電力会社１と当該電力会社１から電力が供給される各物件２との間で構築されるシステムである。エネルギー管理システム１００において、電力会社１に設置されたエネルギー管理装置１０と、各物件２に設置された制御装置３０とは、インターネット８０ａを経由して接続されており、情報の授受が行われる構成になっている。
【００９２】
各物件２では、制御装置３０を用いて、物件２内に設置された設備機器４０〜６０が制御されている。制御装置３０は、人の在／不在や、ユーザによって設定されたスケジュール等に基づいて、設備機器４０〜６０の制御を実行している（非デマンドレスポンス制御）。エネルギー管理システム１００では、制御装置３０からエネルギー管理装置１０に対して、定期的に情報が送信されるように構成されている。電力会社１では、各物件２に配置された制御装置３０から定期的に送られる情報に基づいて、全管理対象物件２，２において消費される電力の総量を把握する。
【００９３】
エネルギー管理システム１００では、上述したように、電力会社１と各物件２とがデマンドレスポンス契約を結んでいる。デマンドレスポンス契約とは、各物件２においてデマンドに従った制御（デマンドレスポンス制御）が徹底されることにより、電力会社１から各物件２に対して所定のインセンティブ（例えば、料金もしくは割引）が支払われることを約束する契約である。また、デマンドレスポンス契約では、各物件２において、デマンドに従った制御が徹底できなかった場合には、物件２に対して、例えば、追加料金や違約金の支払いなどのペナルティが科される。デマンドとは、所定の条件に基づいた設備機器４０〜６０の制御を要求するものであり、上記実施形態において、所定の条件には、目標消費電力ｔｗと、目標消費電力ｔｗの範囲で設備機器４０〜６０を駆動させる時間帯（調整時間帯）とが含まれる。各物件２がデマンドレスポンス契約に従って設備機器４０〜６０を制御することにより、電力会社１は、エネルギー管理システム１００全体で消費された電力の総量を調整することができる。
【００９４】
ところで、各物件２では、物件２内の各空間で快適な環境を生成するために、電力会社１から送られるデマンドとは関係なく、設備機器４０〜６０が制御されうる。すなわち、制御装置３０は、各物件２のニーズに応じた設備機器４０〜６０の制御（非デマンドレスポンス制御）を実行している。また、調整時間帯になると、各物件２においてデマンドレスポンス契約を遵守するために、制御装置３０は、設備機器４０〜６０をデマンドに従って制御する。
【００９５】
ここで、デマンドレスポンス制御中に、各物件２において、非デマンドレスポンス制御が実行されると、デマンドで規定された目標消費電力の条件を満たすことができない場合が生じる。例えば、図７に示すように、調整時間帯において物件２内の空間の状態（在／不在の状態）が変化する場合が生じる。ここでは、例えば、物件２には、空間Ａ，Ｂが含まれるものとし、空間Ａに空調機Ａが配置され、空間Ｂに空調機Ｂが配置されているものとする。また、調整時間帯に、空調機Ａは運転能力を落とし（点Ｐ１２ａ参照）、空調機Ｂは停止させていたものとする（点Ｐ１３ａ参照）。それによって、物件２内の消費電力の合計は、点Ｐ１１ａで示される値から、目標消費電力ｔｗに向かって減少する。
【００９６】
ここで、調整時間帯に、例えば、空間Ａの状態が不在状態に変化した場合、空間Ａに配置された空調機Ａは、停止される（点Ｐ１２ｂ参照，非デマンドレスポンス制御）。すると、物件２内の消費電力の合計と目標消費電力ｔｗとが一致しなくなる（点Ｐ１１ｂ参照）。言い換えると、図７のグラフ中、色づけした部分（領域Ｒ０）の消費電力が、目標消費電力ｔｗに対して不足していることになる。その結果、物件２は、インセンティブを得ることができなくなる。
【００９７】
しかし、上記実施形態に係る制御装置３０では、デマンドレスポンス制御の実行中に非デマンドレスポンス制御に係る指令が生成されると、非デマンドレスポンス制御によって変動される消費電力が推定される。また、推定された変動消費電力（推定変動量）に基づいて、複数の設備機器４０〜６０のうちいずれかの設備機器４０〜６０の消費電力が調整される調整制御の内容が決定される。すなわち、図８に示すように、空調機Ａの消費電力の変動を考慮して、空調機Ｂの消費電力が調整される。具体的に、点Ｐ１２ｂに示すように、空調機Ａの消費電力が減少すると、点Ｐ１３ｂに示すように、空調機Ｂの消費電力を増加させる。その結果、調整時間帯における物件２内の消費電力の合計が目標消費電力と一致するように維持される。このように、制御装置３０によって、デマンドレスポンス制御下においても、設備機器４０〜６０の効果的な制御が可能になる。また、その結果、インセンティブの減少を抑制することができる。
【００９８】
（５−２）
上記実施形態に係る制御装置３０では、記憶部３５をさらに備える。記憶部３５は、複数の設備機器４０〜６０のそれぞれについての電力変動特性を記憶する。調整制御実行部３６ｈは、電力変動特性に基づいて、複数の設備機器４０〜６０のうちいずれかの設備機器４０〜６０に対する調整制御を実行する。
【００９９】
非デマンドレスポンス制御が実行されると、非デマンドレスポンス制御に係る設備機器４０〜６０が駆動される。ここで、上記実施形態に係る制御装置３０では、非デマンドレスポンス制御によって変動する消費電力を、非デマンドレスポンス制御の対象となっていない設備機器（非駆動対象機器）４０〜６０の制御によって補うよう、非駆動対象機器４０〜６０を制御する。
【０１００】
ここで、非デマンドレスポンス制御に起因した最終的な消費電力の変動量のみを考慮して非駆動対象機器４０〜６０を駆動すると、総消費電力が、一時的に目標消費電力ｔｗから外れる場合がある。具体的に、非デマンドレスポンス制御の駆動対象となる設備機器４０〜６０の電力変動特性と、調整制御の駆動対象となる設備機器４０〜６０の電力変動特性とが大きく異なる場合には、物件２内の消費電力の総量を、目標消費電力で維持することができない。
【０１０１】
上記実施形態に係る制御装置３０では、基本情報記憶領域３５ｄに、各設備機器４０〜６０の電力変動特性として、応答速度が記憶されている。調整制御決定部３６ｇは、非デマンドレスポンス制御の駆動対象となる設備機器４０〜６０の応答速度に基づいて、調整制御で駆動させる設備機器４０〜６０を複数の設備機器４０〜６０の中から選択する。すなわち、非デマンドレスポンス制御で駆動される設備機器４０〜６０の応答速度が遅い場合には、調整制御として、応答速度が近い、あるいは、応答速度が一致する設備機器４０〜６０を選択したりすることにより、物件２内の消費電力の総量を目標消費電力と一致させる（図８参照）。これにより、デマンドレスポンス制御中の消費電力の変動に対して好適に対応することができる。
【０１０２】
（５−３）
上記実施形態に係る制御装置３０では、非デマンドレスポンス制御として、省エネ制御、スケジュール制御、および手動制御の少なくとも一つを実行する。省エネ制御とは、設備機器４０〜６０が配置されている空間における人物の在／不在または日射量に基づく制御である。これにより、状況に応じて最適な設備機器４０〜６０の制御を行うことができる。
【０１０３】
（６）変形例
（６−１）変形例１Ａ
上記実施形態に係る制御装置３０では、調整制御実行部３６ｈは、電力変動特性に基づいて、複数の設備機器４０〜６０のうちいずれかの設備機器４０〜６０に対する調整制御を実行する。具体的に、調整制御決定部３６ｇは、非デマンドレスポンス制御の駆動対象となる設備機器４０〜６０の応答速度に基づいて、応答速度が近い、あるいは、応答速度が一致する設備機器４０〜６０を選択して調整制御で駆動させる。
【０１０４】
ここで、調整制御決定部３６ｇは、応答速度が近い、あるいは、応答速度が一致する設備機器４０〜６０を選択せず、複数の設備機器４０〜６０のうちいくつかの設備機器に対して、時間差で調整制御を実行させることにより、消費電力を調整してもよい。例えば、非デマンドレスポンス制御で消費電力が増減する速度に合わせて、駆動させる、あるいは、停止させる設備機器４０〜６０の数を徐々に増やしてもよい。
【０１０５】
具体的には、図９を用いて説明する。なお、図９では、物件２に空間Ａおよび空間Ｂが含まれるものとし、空間Ａには空調機４０、空間Ｂには複数の照明５０がそれぞれ配置されているものとする。図９は、調整時間帯に、在室割合が減少した場合を示す。ここでは、空間Ａの状態が在状態から不在状態に変化した結果、在室割合が変化しているものとする。
【０１０６】
図９では、調整時間帯に入ると、空調機４０の消費電力を低減させ（点Ｐ３２ａ参照）、照明５０をＯＦＦに切り替えている（点Ｐ３３ａ参照）。その結果、物件２内の消費電力の総量が、目標消費電力ｔｗに向けて減少している（点Ｐ３１ａ参照）。その後、調整時間中に空間Ａの状態が在状態から不在状態に変化している。その結果、空調機４０の消費電力が０に向かって下降している（点Ｐ３２ｂ参照）。ここでは、空調機４０の消費電力の変動に合わせて、空間Ｂに配置されている複数の照明５０を徐々に（時間差で）ＯＮに切り替えている。
【０１０７】
具体的に、調整制御決定部３６ｇは、非デマンドレスポンス制御で駆動対象となっていない複数の設備機器についてＯＮまたはＯＦＦに切り替えるタイミングをずらして制御するように決定する。これにより、空調機４０の消費電力増減の速度に合うように、他の設備機器（ここでは、照明５０）の消費電力を増減させることができる。その結果、非デマンドレスポンス制御によって調整時間帯における消費電力が徐々に変動するような場合でも、物件２内の消費電力の総量を適宜調整することができる。
【０１０８】
（６−２）変形例１Ｂ
さらに、上記実施形態に係る制御装置３０において、調整制御決定部３５ｇは、非デマンドレスポンス制御として段階的に変化する消費電力を相殺可能な所定の電力変動特性を有する設備機器を選択するように構成されていても良い。
【０１０９】
具体的に、図１０を例に挙げて説明する。なお、図１０においても、物件２には、空間Ａおよび空間Ｂが含まれるものとし、空間Ａには空調機４０、空間Ｂには複数の照明５０がそれぞれ配置されているものとする。
【０１１０】
図１０は、調整時間帯に、在室割合が増加した場合を示す。すなわち、図１０では、ある空間の状態が不在状態から在状態に変化している。
【０１１１】
図１０の例では、まず、調整時間帯の前に、在室割合が変化している。具体的に、空間Ｂの状態が在状態から不在状態に変化している。その結果、照明５０がＯＦＦに切り替えられている（点Ｐ４３ａ参照）。その結果、物件２の消費電力の総量は、点Ｐ４１ａから点Ｐ４１ｂに向けて下降している。その後、調整時間帯に入ると、空調機４０の消費電力を低減させている（点Ｐ４２ａ参照）。その結果、物件２内の消費電力の総量は、目標消費電力ｔｗに向けてさらに減少している（点Ｐ４１ｂ参照）。その後、調整時間帯に、空間Ｂの状態が不在状態から在状態に変化した。その結果、照明５０の消費電力は段階的に増加し（点Ｐ４３ｂ参照）、照明５０の消費電力の増加に合わせて、空調機４０の消費電力をさらに低減させている（点Ｐ４２ｂ参照）。
【０１１２】
非デマンドレスポンス制御によって複数の設備機器（ここでは、照明５０）の消費電力が徐々に増加する場合に、調整制御決定部３６ｇは、非デマンドレスポンス制御の駆動対象となっていない設備機器（ここでは、空調機４０）の制御内容を変化させることにより、総消費電力を調整する。すなわち、複数の照明５０の消費電力の増加速度に応じて、空調機４０の消費電力を変化させる。
【０１１３】
これによっても、非デマンドレスポンス制御によって徐々に変動する消費電力に対して、非デマンドレスポンス制御の駆動対象外の設備機器を、適切なタイミングで駆動させることにより、物件２内の消費電力の総量を適宜調整することができる。
【０１１４】
（６−３）変形例１Ｃ
上記実施形態で説明したように、エネルギー管理システム１００では、エネルギー管理装置１０から制御装置３０に対して、デマンドが送られる。
【０１１５】
ここで、デマンドは、各物件２から電力会社１に対して提示された複数の抑制可能情報に基づいて生成されたものであってもよい。抑制可能情報は、各物件２において抑制可能な電力量に関する情報であって、エネルギー抑制可能量と、当該エネルギー抑制可能量を継続できる時間の長さ（抑制可能時間の長さ）とを含む。すなわち、抑制可能情報は、各物件２において消費する電力量の総量を抑えることが可能である旨を申請するための情報である。電力会社１では、エネルギー管理装置１０が、各物件２の制御装置３０からそれぞれ送られる複数の抑制可能情報から、管理対象物件全体の消費電力の組合せとして好ましい抑制可能情報を選択し、選択した抑制可能情報に基づいて、各物件２に送るデマンドを生成する。
【０１１６】
これにより、エネルギー管理装置１０において、予定した通りの電力量が各物件２で消費されるため、エネルギー管理システム１００全体においても好適なエネルギー管理を行うことができる。
【０１１７】
（６−４）変形例１Ｄ
上記実施形態において、非デマンドレスポンス制御には、省エネ制御、スケジュール制御、および手動制御等が含まれる。また、省エネ制御とは、設備機器が配置されている空間における人物の在／不在に基づく制御であった。ここで、省エネ制御には、外的要因に基づく制御が含まれていてもよい。ここで、外的要因に基づく制御とは、例えば、物件２内の各空間における日射量の大小に基づき、設備機器４０〜６０の運転内容（設定温度、風量、照度等）を変更する制御を意味する。
【０１１８】
この場合、物件２に含まれる各空間には、日射量を測るための装置が配置されており、日射量に関する情報は、エリア情報記憶領域３５ａに記憶されているものとする。また、基本情報記憶領域３５ｄには、各設備機器４０〜６０について、日射量に応じた運転能力および／または運転状態が記憶されているものとする。
【０１１９】
これにより、日射量が多い空間と日射量が少ない空間とに対して、それぞれ適した設備機器４０〜６０の制御を行うことにより、省エネ効果を高めることが可能になる。
【符号の説明】
【０１２０】
１        電力会社
２        物件
６        電源
７        電力メーター
１０      エネルギー管理装置
３０      制御装置
３１      通信部
３２      時間管理部
３３      入力部
３４      出力部
３５      記憶部
３５ａ    エリア情報記憶領域
３５ｂ    運転状況記憶領域
３５ｃ    デマンド記憶領域
３５ｄ    基本情報記憶領域
３５ｅ    変動量記憶領域
３５ｆ    調整制御記憶領域
３６      制御部
３６ａ    消費電力変動部
３６ｂ    運転状況監視部
３６ｃ    エリア情報取得部
３６ｄ    受付部
３６ｅ    フラグ切替部
３６ｆ    変動量推定部
３６ｇ    調整制御決定部
３６ｈ    調整制御実行部
３６ｉ    デマンドレスポンス部
４０      空調機（設備機器）
５０      照明（設備機器）
６０      換気扇（設備機器）
８０ａ    インターネット
８０ｂ    専用制御線
１００    エネルギー管理システム
【先行技術文献】
【特許文献】
【０１２１】
【特許文献１】特開２０１２−３８２９５号公報
【図１】
2015047006.tif 000003
【図２】
2015047006.tif 000004
【図３】
2015047006.tif 000005
【図４】
2015047006.tif 000006
【図５】
2015047006.tif 000007
【図６】
2015047006.tif 000008
【図７】
2015047006.tif 000009
【図８】
2015047006.tif 000010
【図９】
2015047006.tif 000011
【図１０】
2015047006.tif 000012
【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
エネルギー管理装置から送られた消費電力に関するデマンドを受け付ける受付部と、
前記受付部によって前記デマンドが受け付けられると、前記デマンドに応じて、物件に配置された複数の機器の総消費電力を調整する制御であるデマンドレスポンス制御を実行するデマンドレスポンス部と、
前記デマンドとは関係なく前記総消費電力を変動させる制御である非デマンドレスポンス制御を実行する消費電力変動部と、
前記デマンドレスポンス制御中に前記非デマンドレスポンス制御によって変動される消費電力を推定する変動量推定部と、
前記変動量推定部によって推定された消費電力の変動量である推定変動量に基づき、前記複数の設備機器のうちいずれかの設備機器の消費電力を調整する調整制御を実行する、調整制御実行部と、
前記デマンドレスポンス制御中に前記非デマンドレスポンス制御が実行された場合であっても前記総消費電力が目標消費電力に一致するように、前記調整制御を決定する、調整制御決定部と、
を備え、
前記調整制御決定部は、前記非デマンドレスポンス制御によって前記デマンドレスポンス制御中の前記総消費電力が減少すると推定される場合には、前記総消費電力を増加させるように前記調整制御を決定し、前記非デマンドレスポンス制御によって前記デマンドレスポンス制御中の前記総消費電力が増加すると推定される場合には、前記総消費電力を減少させるように前記調整制御を決定する、
制御装置。
【請求項２】
前記複数の設備機器のそれぞれについての電力変動特性を記憶する記憶部
をさらに備え、
前記調整制御実行部は、前記電力変動特性に基づいて、前記複数の設備機器のうちいずれかの設備機器に対する調整制御を実行する、
請求項１に記載の制御装置。
【請求項３】
前記調整制御実行部は、前記複数の設備機器のうちいくつかの設備機器に対して、時間差で前記調整制御を実行する、
請求項１または２に記載の制御装置。
【請求項４】
前記非デマンドレスポンス制御は、前記設備機器が配置されている空間における人物の在／不在または日射量に基づく省エネ制御、スケジュール制御、および手動制御の少なくとも一つを含む、
請求項１から３のいずれかに記載の制御装置。
【手続補正２】
【補正対象書類名】明細書
【補正対象項目名】０００５
【補正方法】変更
【補正の内容】
【０００５】
本発明の第１の観点に係る制御装置は、受付部と、デマンドレスポンス部と、消費電力変動部と、変動量推定部と、調整制御実行部と、調整制御決定部とを備える。受付部は、エネルギー管理装置から送られた消費電力に関するデマンドを受け付ける。デマンドレスポンス部は、受付部によってデマンドが受け付けられると、デマンドに応じて、デマンドレスポンス制御を実行する。デマンドレスポンス制御は、物件に配置された複数の設備機器の総消費電力を調整する制御である。消費電力変動部は、非デマンドレスポンス制御を実行する。非デマンドレスポンス制御は、デマンドとは関係なく総消費電力を変動させる制御である。変動量推定部は、デマンドレスポンス制御中に非デマンドレスポンス制御によって変動される消費電力を推定する。調整制御実行部は、調整制御を実行する。調整制御は、推定変動量に基づき、複数の設備機器のうちいずれかの設備機器の消費電力を調整する制御である。また、推定変動量とは、変動量推定部によって推定された消費電力の変動量である。調整制御決定部は、デマンドレスポンス制御中に非デマンドレスポンス制御が実行された場合であっても総消費電力が目標消費電力に一致するように、調整制御を決定する。調整制御決定部は、非デマンドレスポンス制御によってデマンドレスポンス制御中の総消費電力が減少すると推定される場合には、総消費電力を増加させるように調整制御を決定し、非デマンドレスポンス制御によってデマンドレスポンス制御中の総消費電力が増加すると推定される場合には、総消費電力を減少させるように調整制御を決定する。